(57)【要約】【課題】照明むらの変化を抑制し、簡便な構成にて高精度の照明むらの補正が可能な試料分析装置を提供する。【解決手段】複数の光源３から試験片１上に光を照射し、前記試験片１上で試料と反応して呈色した試薬１０１の吸光度を検出して試料中の成分を定量もしくは定性分析する試料分析装置において、各光源３の光出力と、各光源３の照射領域内に設けた複数の各モニター用受光素子上９の照度の相関関係を予め実験的に求めておき、分析時における前記複数のモニター用受光素子９上の照度から、前記相関関係をもとに各光源３の光出力をそれぞれ算出して各光源３の光出力のフィードバック制御を行う。これにより、分析領域の照明むらの変化を抑えることができて、測定精度を向上できる。【選択図】図１
2009222607.tif 000002
【特許請求の範囲】
【請求項１】
複数の光源から試験片上に光を照射し、前記試験片上で試料と反応して呈色した試薬の吸光度を検出して試料中の成分を定量もしくは定性分析する試料分析装置の照明制御方法であって、各光源の光出力と、各光源の照射領域内に設けた複数の各モニター用受光素子上の照度との相関関係を予め実験的に求めておき、分析時における前記複数のモニター用受光素子上の照度から、前記相関関係をもとに各光源の光出力をそれぞれ算出して各光源の光出力のフィードバック制御を行うことにより、分析領域の照明むらの変化を抑えるように構成した試料分析装置の照明制御方法。
【請求項２】
光源とモニター用受光素子とをそれぞれｎ個（ｎは２以上の整数）有し、ｉ番目の光源の光出力をＰｉ、ｉ番目のモニター用受光素子上の照度をＥｉ（１≦ｉ≦ｎ）としたとき、照度Ｅｉと光出力Ｐｉとの相関関係を予め実験的に
【数１】
2009222607.tif 000013
で近似し、分析時の照度Ｅ１〜Ｅｎをもとに上記近似式から光出力Ｐ１〜Ｐｎを算出して、各光源の光出力のフィードバック制御を行う請求項１に記載の試料分析装置の照明制御方法。
【請求項３】
複数の光源から試験片上に光を照射し、イメージセンサにより前記試験片を撮像し、試験片上で試料と反応して呈色した試薬の吸光度を検出して試料中の成分を定量もしくは定性分析する試料分析装置の照明制御方法であって、各光源の光出力と、イメージセンサの視野内の予め設定した複数のモニター領域の輝度との相関関係を予め実験的に求めておき、分析時における前記複数のモニター領域の輝度から、前記相関関係をもとに各光源の光出力をそれぞれ算出して各光源の光出力のフィードバック制御を行うことにより、分析領域の照明むらの変化を抑えるように構成した試料分析装置の照明制御方法。
【請求項４】
光源とモニター領域とをそれぞれｎ個（ｎは２以上の整数）設け、ｉ番目の光源の光出力をＰｉ、ｉ番目のモニター領域の輝度をＬｉ（１≦ｉ≦ｎ）としたとき、輝度Ｌｉと光出力Ｐｉとの相関関係を予め実験的に
【数２】
2009222607.tif 000014
で近似し、分析時の輝度Ｌ１〜Ｌｎをもとに上記近似式から光出力Ｐ１〜Ｐｎを算出し、各光源の光出力のフィードバック制御を行う請求項３に記載の試料分析装置の照明制御方法。
【請求項５】
複数の光源から試験片上に光を照射し、前記試験片上で試料と反応して呈色した試薬の吸光度を検出して試料中の成分を定量もしくは定性分析する試料分析装置であって、各光源の照射領域内に設けた複数のモニター用受光素子と、各光源の光出力と各モニター用受光素子上の照度との相関関係を記憶する記憶手段と、分析時における前記複数のモニター用受光素子上の照度から、前記相関関係をもとに各光源の光出力をそれぞれ算出して各光源の光出力のフィードバック制御を行う制御手段とを備えた試料分析装置。
【請求項６】
光源とモニター用受光素子とをそれぞれｎ個（ｎは２以上の整数）有し、ｉ番目の光源の光出力をＰｉ、ｉ番目のモニター用受光素子上の照度をＥｉ（１≦ｉ≦ｎ）としたとき、照度Ｅｉと光出力Ｐｉとの相関関係を
【数３】
2009222607.tif 000015
で近似したデータを記憶手段に記憶し、制御手段は、分析時の照度Ｅ１〜Ｅｎをもとに上記近似式から光出力Ｐ１〜Ｐｎを算出して、分析領域の照明むらの変化を抑えるように各光源の光出力のフィードバック制御を行う請求項５に記載の試料分析装置。
【請求項７】
複数の光源から試験片上に光を照射し、イメージセンサにより前記試験片を撮像し、試験片上で試料と反応して呈色した試薬の吸光度を検出して試料中の成分を定量もしくは定性分析する試料分析装置であって、イメージセンサの視野内の予め設定した複数のモニター領域の輝度を検出する輝度検出手段と、各光源の光出力と前記複数のモニター領域の輝度との相関関係を記憶する記憶手段と、分析時における前記複数のモニター領域の輝度から、前記相関関係をもとに各光源の光出力をそれぞれ算出して各光源の光出力のフィードバック制御を行う制御手段とを備えた試料分析装置。
【請求項８】
光源とモニター領域とをそれぞれｎ個（ｎは２以上の整数）設け、ｉ番目の光源の光出力をＰｉ、ｉ番目のモニター領域の輝度をＬｉ（１≦ｉ≦ｎ）としたとき、輝度Ｌｉと光出力Ｐｉとの相関関係を
【数４】
2009222607.tif 000016
で近似したデータを記憶手段に記憶し、制御手段は、分析時の輝度Ｌ１〜Ｌｎをもとに上記近似式から光出力Ｐ１〜Ｐｎを算出して、分析領域の照明むらの変化を抑えるように各光源の光出力のフィードバック制御を行う請求項７に記載の試料分析装置。
【請求項９】
複数のモニター領域にそれぞれ拡散板を配置した請求項７または８に記載の試料分析装置。
【発明の詳細な説明】
【技術分野】
【０００１】
本発明は、試験片上で試料と反応して呈色した試薬の吸光度を検出して試料中の成分を定量もしくは定性分析する試料分析装置およびその照明制御方法に関し、特に複数の光源を同時に点灯して試験片上に光を照射するときの照明むらの補正に好適に利用できるものである。
【背景技術】
【０００２】
血液や尿などの生体試料中の成分を分析する方法として、試薬を担持した試験片に試料を点着し、試料と反応して呈色した試薬部の吸光度から、試料中の特定成分の有無あるいは濃度を測定する呈色試験法（免疫クロマト試験法を含む）が広く用いられている。呈色試験法では、試薬の呈色を目視で確認する方法と、測定器を用いて光学的に吸光度を測定する方法とがあり、前者は主に定性分析に用いられ、後者は主に定量分析に用いられる。測定器を用いて試薬部の吸光度を測定する場合、ＬＥＤなどの光源から試験片上に光を照射し、前記試験片をイメージセンサで撮影し、その画像をソフトウェアで処理して試薬部の吸光度を求める方式の試料分析装置が用いられている。ここで用いられる光源からの出射光の強度は一般に中心部では強く、周辺部では弱いため、試験片上では照明むらが発生する。また、試験片上で十分な照度を確保するために複数の光源を同時に点灯して照射する構成の試料分析装置では、各光源の光出力が異なると、更に大きな照明むらが発生する。特に、試験片上の広い範囲を分析に使用する場合や、試験片上の複数領域で分析を行う場合、また、試料分析装置への試験片装着位置や試験片上の試薬位置のばらつきが発生した場合は、照明むらが測定精度悪化の原因となる。
【０００３】
そこで、従来の試料分析装置としては、照明むらによる測定精度の悪化を避けるため、事前に試験片の代わりに拡散板などを用いて照明むらを測定しておき、その測定値を用いて分析時に照明むらを補正する方法が用いられていた（例えば、特許文献１参照）。
【０００４】
図３は、従来の試料分析装置の一例の構成を示す斜視図であり、（ａ）は照明むら測定時、（ｂ）は分析時の構成を示している。図３において、１は表面に試薬１０１を担持した試験片であり、試験片１に試料（図示せず）を点着すると、試料中の分析対象となる特定の成分と反応して試薬１０１が呈色する。２は照明むら測定用の拡散板、３は試験片１もしくは拡散板２の表面に光を照射する光源、４は試験片を撮像するためのイメージセンサ、５はイメージセンサ４の撮像面に試験片１もしくは拡散板２の像を結像させるレンズ、６は分析に使用する波長以外の光をカットするフィルタである。また、図示しないが、試料分析装置には、照明むらのための測定値（具体的には、後述するように、拡散板２の撮影画像）を保存する第１のメモリ部、イメージセンサ４で撮影した試験片の画像（各画素の輝度値）を格納する第２のメモリ部がそれぞれ設けられている。なお、分析時の外光の影響を避けるため、試料分析装置全体は遮光性の筐体（図示せず）で覆われている。
【０００５】
まず、照明むら測定時には、図３（ａ）に示すように、拡散板２をセットした状態で光源３を点灯して拡散板２の表面に光を照射しながら、イメージセンサ４で照明むら測定用の拡散板２を撮影し、そのときのイメージセンサ４における各画素の輝度値を第１のメモリ部に記憶する。
【０００６】
次に、分析時には、図３（ｂ）に示すように、試験片１をセットした状態で、試験片１の端部に試料（図示せず）を点着する。試料が試験片１内に浸透し、試薬１０１と反応するのに要する所定の時間経過後、光源３を点灯させて試験片１の表面に光を照射しながらイメージセンサ４で試験片１を撮影し、そのときのイメージセンサ４における各画素の輝度値を第２のメモリ部に格納する。ここで、第２のメモリ部に格納された各画素の輝度値を、第１のメモリ部に保存した各画素の輝度値でそれぞれ除することで、照明むらが補正された試験片１の画像を得ることができ、この画像から試薬１０１の位置に相当する領域の輝度値を抽出して吸光度を求め、分析対象となる成分の濃度に変換することで分析が行われる。
【特許文献１】特開平８−３３４５１１号公報
【発明の開示】
【発明が解決しようとする課題】
【０００７】
しかしながら、複数の光源３を利用した試料分析装置では、各光源３の光出力は温度変化等によりそれぞれ刻々と変化するので、前記従来の試料分析装置の構成では、照明むら測定用の拡散板２を用いて測定した照明むらと、実際の分析が行われるときの照明むらとは必ずしも同じでなく、上記方法による照明むら補正効果は十分とはいえないという課題があった。また、各光源３の近傍にモニター用受光素子を配置して各光源３の光出力をそれぞれ制御する、所謂ＡＰＣ（オートパワーコントロール）を掛けることも可能であるが、複数の光源３を同時に点灯して使用する場合は、各受光素子に他の光源からの光が漏れ込むので正確な制御ができないという課題を有していた。
【０００８】
本発明は、前記従来の課題を解決するもので、照明むらの変化を抑制し、簡便な構成にて照明むらの補正を良好に行える試料分析装置およびその照明制御方法を提供することを目的とする。
【課題を解決するための手段】
【０００９】
前記従来の課題を解決するために、本発明の試料分析装置の照明制御方法は、複数の光源から試験片上に光を照射し、前記試験片上で試料と反応して呈色した試薬の吸光度を検出して試料中の成分を定量もしくは定性分析する試料分析装置の照明制御方法であって、各光源の光出力と、各光源の照射領域内に設けた複数の各モニター用受光素子上の照度との相関関係を予め実験的に求めておき、分析時の前記複数のモニター用受光素子上の照度から、前記相関関係をもとに各光源の光出力をそれぞれ算出して各光源の光出力のフィードバック制御を行うことにより、分析領域の照明むらの変化を抑えるように構成したことを特徴としたものである。
【００１０】
さらに、本発明の試料分析装置の照明制御方法は、光源とモニター用受光素子とをそれぞれｎ個（ｎは２以上の整数）有し、ｉ番目の光源の光出力をＰｉ、ｉ番目のモニター用受光素子上の照度をＥｉ（１≦ｉ≦ｎ）としたとき、照度Ｅｉと光出力Ｐｉとの相関関係を予め実験的に
【００１１】
【数５】
2009222607.tif 000003
で近似し、分析時の照度Ｅ１〜Ｅｎをもとに上記近似式から光出力Ｐ１〜Ｐｎを算出して、各光源の光出力のフィードバック制御を行うことを特徴としたものである。
【００１２】
また、本発明は、複数の光源から試験片上に光を照射し、イメージセンサにより前記試験片を撮像し、試験片上で試料と反応して呈色した試薬の吸光度を検出して試料中の成分を定量もしくは定性分析する試料分析装置の照明制御方法であって、各光源の光出力と、イメージセンサの視野内の予め設定した複数のモニター領域の輝度との相関関係を予め実験的に求めておき、分析時における前記複数のモニター領域の輝度から、前記相関関係をもとに各光源の光出力をそれぞれ算出して各光源の光出力のフィードバック制御を行うことにより、分析領域の照明むらの変化を抑えるように構成したことを特徴としたものである。
【００１３】
さらに、本発明の試料分析装置の照明制御方法は、光源とモニター領域とをそれぞれｎ個（ｎは２以上の整数）設け、ｉ番目の光源の光出力をＰｉ、ｉ番目のモニター領域の輝度をＬｉ（１≦ｉ≦ｎ）としたとき、輝度Ｌｉと光出力Ｐｉとの相関関係を予め実験的に
【００１４】
【数６】
2009222607.tif 000004
で近似し、分析時の輝度Ｌ１〜Ｌｎをもとに上記近似式から光出力Ｐ１〜Ｐｎを算出し、各光源の光出力のフィードバック制御を行うことを特徴としたものである。
【００１５】
また、本発明の試料分析装置は、複数の光源から試験片上に光を照射し、前記試験片上で試料と反応して呈色した試薬の吸光度を検出して試料中の成分を定量もしくは定性分析する試料分析装置であって、各光源の照射領域内に設けた複数のモニター用受光素子と、各光源の光出力と各モニター用受光素子上の照度との相関関係を記憶する記憶手段と、分析時の前記複数のモニター用受光素子上の照度から、前記相関関係をもとに各光源の光出力をそれぞれ算出して各光源の光出力のフィードバック制御を行う制御手段とを備えたことを特徴としたものである。
【００１６】
さらに、本発明の試料分析装置は、光源とモニター用受光素子とをそれぞれｎ個（ｎは２以上の整数）有し、ｉ番目の光源の光出力をＰｉ、ｉ番目のモニター用受光素子上の照度をＥｉ（１≦ｉ≦ｎ）としたとき、照度Ｅｉと光出力Ｐｉとの相関関係を
【００１７】
【数７】
2009222607.tif 000005
で近似したデータを記憶手段に記憶し、制御手段は、分析時の照度Ｅ１〜Ｅｎをもとに上記近似式から光出力Ｐ１〜Ｐｎを算出して、分析領域の照明むらの変化を抑えるように各光源の光出力のフィードバック制御を行うことを特徴としたものである。
【００１８】
また、本発明の試料分析装置は、複数の光源から試験片上に光を照射し、イメージセンサにより前記試験片を撮像し、試験片上で試料と反応して呈色した試薬の吸光度を検出して試料中の成分を定量もしくは定性分析する試料分析装置であって、イメージセンサの視野内の予め設定した複数のモニター領域の輝度を検出する輝度検出手段と、各光源の光出力と前記複数のモニター領域の輝度との相関関係を記憶する記憶手段と、分析時における前記複数のモニター領域の輝度から、前記相関関係をもとに各光源の光出力をそれぞれ算出して各光源の光出力のフィードバック制御を行う制御手段とを備えたことを特徴としたものである。
【００１９】
さらに、本発明の試料分析装置は、光源とモニター領域とをそれぞれｎ個（ｎは２以上の整数）設け、ｉ番目の光源の光出力をＰｉ、ｉ番目のモニター領域の輝度をＬｉ（１≦ｉ≦ｎ）としたとき、輝度Ｌｉと光出力Ｐｉとの相関関係を
【００２０】
【数８】
2009222607.tif 000006
で近似したデータを記憶手段に記憶し、制御手段は、分析時の輝度Ｌ１〜Ｌｎをもとに上記近似式から光出力Ｐ１〜Ｐｎを算出して、分析領域の照明むらの変化を抑えるように各光源の光出力のフィードバック制御を行うことを特徴としたものである。
【００２１】
さらに、本発明の試料分析装置は、複数のモニター領域にそれぞれ拡散板を配置したことを特徴としたものである。
【発明の効果】
【００２２】
本発明の試料分析装置およびその照明制御方法によれば、複数の光源の光出力をそれぞれ独立して高精度に制御することで、試験片上の照明むらの変化を抑え、照明むらの補正を精密に行うことが可能となり、照明むらの影響を最小限に抑えた状態で高精度の分析が可能となる。
【発明を実施するための最良の形態】
【００２３】
以下に、本発明の実施の形態に係る試料分析装置およびその照明制御方法を図面とともに詳細に説明する。
（実施の形態１）
図１は、本発明の第１の実施の形態に係る試料分析装置の概略構成を示す斜視図である。なお、前記従来の試料分析装置と同様な機能を有する部品には同一の符号を付し、説明を省略する。
【００２４】
図１において、試験片１は試験片ホルダ部（図示せず）にセットされており、上方にフィルタ６、レンズ５、イメージセンサ４が配置され、試験片１の画像をイメージセンサ４にて撮像するように構成されている。複数の光源３は、試験片１の表面に光を照射して撮像時の照明として使用される。光源３の照射領域内には複数のモニター用受光素子９が配置されており（より詳しくは、試験片１に照射する光を遮らない位置に配置されており）、それぞれのモニター用受光素子９には、複数の光源３のうち少なくともいずれか１個の光源３からの出射光が入射するように配置され、かつ、それぞれの光源３の出射光は、複数のモニター用受光素子９のうち少なくともいずれか１個のモニター用受光素子９に入射するように配置されている。
【００２５】
各光源３の光出力と、各モニター用受光素子９上の照度とはそれぞれ電気信号に基づいて図示しない制御手段により検出される。また、各光源３の光出力と、各モニター用受光素子９上の照度の相関関係を予め実験的に求めておき、これらの相関関係のデータが、図示しない第３のメモリ部（相関関係記憶用の記憶手段）により記憶されている。そして、分析時には、各モニター用受光素子９上の照度に基づき、後述する近似式などからなる相関関係のデータから各光源３の光出力を算出して、各光源３の光出力のフィードバック制御を行うことで、各光源３の温度変化等があっても各光源３の光出力を常に一定に保つようになっている。
【００２６】
ここで、光源３とモニター用受光素子９との数をそれぞれｎ個（ｎは２以上の整数）とし、複数の光源３のうち１番目の光源３を光出力Ｐ１で点灯したとき、複数のモニター用受光素子９のうち１番目のモニター用受光素子９上の照度Ｅ１１は、前記１番目の光源３の配光特性、前記１番目の光源３から前記１番目のモニター用受光素子９までの距離と、前記１番目のモニター用受光素子９の受光面の、前記１番目の光源３の方向に対する角度、前記１番目の光源３から前記１番目のモニター用受光素子９の間の障害物の有無や透過率、周囲部品の形状や反射率などにより
【００２７】
【数９】
2009222607.tif 000007
と表すことができる。この式（数９）中の定数ｋ１１は、前記１番目の光源３のみを点灯したときの前記１番目のモニター用受光素子９上の照度（実際には前記１番目のモニター用受光素子９の出力値）を実測することで実験的に求めることができる。次に、複数の光源３のうち２番目の光源３を光出力Ｐ２で点灯したときの、前記１番目のモニター用受光素子９上の照度Ｅ１２を求め、順次ｎ番目の光源３を光出力Ｐｎで点灯したときの１番目のモニター用受光素子９上の照度Ｅ１ｎまでを求めて総和をとることで、複数の光源３をそれぞれ任意の光出力で点灯したときの１番目のモニター用受光素子９上の照度
【００２８】
【数１０】
2009222607.tif 000008
を求めることができる。
【００２９】
更に、上記と同様の方法で、全てのモニター用受光素子９上の照度
【００３０】
【数１１】
2009222607.tif 000009
を予め実験的に求めておき、分析時には上式の照度Ｅ１〜Ｅｎに各モニター用受光素子９の出力値を代入して光出力Ｐ１〜Ｐｎを逆算して各光源３の光出力のフィードバック制御を行うことで、各光源３の光出力を一定に保つことができる。
【００３１】
上記のように照明むらの変化を抑制しつつ、照明むらの補正を行えば、精度のよい補正が可能となる。照明むらの補正方法は、前記従来の試料分析装置と同様の方法が適用可能であり、装置製造時に照明むら測定用の拡散板２の撮影を行ってその測定値を第１のメモリ部に保存し、同時に各モニター用受光素子９の出力値（照度）Ｅ１〜Ｅｎを測定して前記近似式（数１）から算出した光出力Ｐ１〜Ｐｎをそれぞれ光出力Ｐ０１〜Ｐ０ｎとして記憶しておけば、分析時には上記の方法で光出力Ｐ１〜Ｐｎがそれぞれ光出力Ｐ０１〜Ｐ０ｎと一致するように各光源３の光出力のフィードバック制御を行うことで、常に照明むら測定用の拡散板２の撮影を行ったときと同じ照明むら状態に保つことができ、十分な照明むら補正精度を確保できる。
【００３２】
（実施の形態２）
図２は、本発明の実施の形態２に係る試料分析装置の概略構成を示す斜視図である。図２において、試験片１、光源３、イメージセンサ４、レンズ５、フィルタ６の配置は上記実施の形態１と同様である。一方、前記実施の形態１と異なり、イメージセンサ４の視野内に複数のモニター領域１０が設けられており、試験片１の画像を撮像する際に、同時にモニター領域１０の画像を撮像する。そして、各光源３の光出力と、各モニター領域１０の照度とはそれぞれ電気信号に基づいて図示しない制御手段により検出されるようになっている。なお、各モニター領域１０にはそれぞれ拡散板１１が配置されている。
【００３３】
各光源３の光出力と、各モニター領域１０の輝度の相関関係を予め実験的に求めておき、これらの相関関係のデータが、図示しない第３のメモリ部（相関関係記憶用の記憶手段）により記憶されている。そして、分析時には、各モニター領域１０の輝度（実際にはイメージセンサ４で撮像した画像上の各モニター領域１０に相当する画素の輝度値）から各光源３の光出力を算出して、各光源３の光出力のフィードバック制御を行うことで、各光源３の温度変化等があっても各光源３の光出力を常に一定に保つことができる。
【００３４】
ここで、光源３の個数とモニター領域１０の数をそれぞれｎ個（ｎは２以上の整数）とし、複数の光源３のうち１番目の光源を光出力Ｐ１で点灯したとき、複数のモニター領域１０のうち１番目のモニター領域の輝度Ｌ１１は、上記実施の形態１と同様の考え方で、
【００３５】
【数１２】
2009222607.tif 000010
と表すことができる。この式（数１２）中の定数ｋ１１は、前記１番目の光源３のみを点灯したときの前記１番目のモニター領域の輝度（実際にはイメージセンサ４で撮像した画像内の前記１番目のモニター領域１０に相当する画素の輝度値）を実測することで実験的に求めることができる。次に、複数の光源３のうち２番目の光源３を光出力Ｐ２で点灯したときの、前記１番目のモニター領域の輝度Ｌ１２を求め、順次ｎ番目の光源３を光出力Ｐｎで点灯したときの１番目のモニター領域の輝度Ｌ１ｎまでを求めて総和をとることで、複数の光源３をそれぞれ任意の光出力で点灯したときの１番目のモニター領域の輝度
【００３６】
【数１３】
2009222607.tif 000011
を求めることができる。更に、同様の方法で、全てのモニター領域１０の輝度
【００３７】
【数１４】
2009222607.tif 000012
を予め実験的に求めておき、分析時には上式の輝度Ｌ１〜Ｌｎに各モニター領域１０の輝度値を代入して光出力Ｐ１〜Ｐｎを逆算して各光源３の光出力のフィードバック制御を行うことで、各光源３の光出力を一定に保つことができる。
【００３８】
上記のように照明むらの変化を抑制しつつ、照明むら補正を行えば、精度のよい補正が可能となる。照明むら補正の方法は、前記従来の試料分析装置と同様の方法が適用可能であり、装置製造時に照明むら測定用拡散板２の撮影を行ってその測定値を第１のメモリ部７に保存し、同時に各モニター領域１０の輝度値Ｌ１〜Ｌｎを測定して前記近似式（数２）から算出した光出力Ｐ１〜Ｐｎをそれぞれ光出力Ｐ０１〜Ｐ０ｎとして記憶しておけば、分析時には上記の方法で光出力Ｐ１〜Ｐｎがそれぞれ光出力Ｐ０１〜Ｐ０ｎと一致するように各光源３の光出力のフィードバック制御を行うことで、常に照明むら測定用の拡散板２の撮影を行ったときと同じ照明むら状態に保つことができ、十分な照明むら補正精度を確保できる。
【００３９】
本実施の形態の構成によれば、前記実施の形態１で使用したモニター用受光素子９が不要となるので、更に簡便な構成にて同等の効果を得ることができる。
また、上記モニター領域１０にモニター用拡散板１１を配置することにより、モニター領域１０の輝度値を高感度で検出することができる。
【００４０】
なお、上記実施の形態では、光源３と、モニター用受光素子９またはモニター領域１０の個数をいずれもｎ個として説明したが、例えば光源３の数よりもモニター用受光素子９、モニター領域１０の数を多く設定し、前述の近似式（数１１、数１４）を統計的処理により求めることも可能である。
【００４１】
また、上記実施の形態では、メモリ部として、照明むらの測定値を保存する第１のメモリ部、イメージセンサ４で撮影した試験片の画像を格納する第２のメモリ部、各光源３の光出力と各モニター用受光素子９上の照度（または各モニター領域１０の輝度）との相関関係を記憶する第３のメモリ部が設けられている場合を述べたが、これらは物理的にそれぞれ個別に設けられていてもよいし、物理的には１つで、単に記憶領域において分けられていてもよく、それぞれの値を記憶できればどのような構成でもよい。
【産業上の利用可能性】
【００４２】
本発明に係る試料分析装置および試料分析装置の照明制御方法によれば、試験片上の照明むらの変化を抑え、高精度な照明むらの補正ができるので、呈色試験法を用いた試料分析装置全般に適用できて、特に複数の光源を同時に点灯して使用する試料分析装置の測定精度を向上させることができる。
【図面の簡単な説明】
【００４３】
【図１】本発明の実施の形態１に係る試料分析装置の構成を示す斜視図
【図２】本発明の実施の形態２に係る試料分析装置の構成を示す斜視図
【図３】（ａ）および（ｂ）はそれぞれ従来の試料分析装置の構成を示す斜視図
【符号の説明】
【００４４】
１  試験片
２  照明むら測定用の拡散板
３  光源
４  イメージセンサ
５  レンズ
６  フィルタ
９  モニター用受光素子
１０  モニター領域
１１  モニター用拡散板
１０１  試薬
【図１】
2009222607.tif 000017
【図２】
2009222607.tif 000018
【図３】
2009222607.tif 000019